(57)【特許請求の範囲】
【請求項１】
電力線搬送通信のために用いられ、電力線に高周波信号を注入するための装置において、
前記高周波信号を注入するための信号線と、前記信号線が形成された複数の取り付き部分を連結して成る取り付き部材とを備え、
前記各取り付き部分は、電気絶縁性の材料から成り、略半円弧に湾曲した一対の湾曲部材を、その凹部が対向するように配置して、周方向の一端がヒンジで接続され、他端側が開閉自在となることで、前記凹部で電力線を抱え込むことができるように形成されて成るとともに、前記ヒンジ部分で相互に連結され、
前記信号線は、
前記湾曲部材の内周または外周面において、一端側から他端側にかけて形成される螺旋状のパターンと、
前記螺旋状のパターンに連なり、前記湾曲部材の一端側において、前記ヒンジ部分の端面に形成される連結パターンと、
前記螺旋状のパターンに連なり、前記湾曲部材の他端側において、対応する湾曲部材の開放端側と接触する接続パターンとを備えて構成され、
前記一対の湾曲部材の凹部で電力線を抱え込み、他端側を閉じることで、前記信号線は、その閉じた湾曲部材の他端側で対を成す湾曲部材の信号線と電気的に導通してループを形成し、ヒンジ部分で隣の取り付き部分の信号線と電気的に導通して次のループに接続されることを特徴とする高周波信号注入装置。
【請求項２】
電力線搬送通信のために用いられ、電力線に高周波信号を注入するための装置において、
前記高周波信号を注入するための信号線と、前記信号線が形成された複数の取り付き部分を連結して成る取り付き部材とを備え、
前記各取り付き部分は、電気絶縁性の材料から成り、略半円弧に湾曲した一対の湾曲部材を、その凹部が対向するように配置して、周方向の一端がヒンジで接続され、他端側が開閉自在となることで、前記凹部で電力線を抱え込むことができるように形成されて成るとともに、前記ヒンジ部分で相互に連結され、かつ前記一対の湾曲部材は、ヒンジの軸線方向にずれて配列されることで任意の角度で交差可能となっており、
前記信号線は、
前記湾曲部材の内周または外周面において、前記ヒンジの近傍で、該ヒンジの軸線方向の一端側から他端側にかけて形成される連絡パターンと、
前記連絡パターンに連なり、前記湾曲部材における前記ヒンジの軸線方向の一端側に形成され、隣接する取り付き部材との連結パターンと、
前記連絡パターンに連なり、前記湾曲部材における前記ヒンジの軸線方向の他端側で、一対の該湾曲部分同士の対向する端面に形成される接続パターンとを備えて構成され、
前記一対の湾曲部材の凹部で電力線を抱え込み、他端側を閉じることで、前記信号線は、その閉じた湾曲部材の端面間で対を成す湾曲部材の信号線と電気的に導通してループを形成し、ヒンジ部分で隣の取り付き部分の信号線と電気的に導通して次のループに接続されることを特徴とする高周波信号注入装置。
【請求項３】
前記取り付き部分は、前記ヒンジ部分で着脱可能となっていることを特徴とする請求項１または２記載の高周波信号注入装置。
【発明の詳細な説明】
【技術分野】
【０００１】
本発明は、電力線搬送通信（ＰＬＣ）のために用いられ、電力線に高周波信号を注入するための装置に関する。
【背景技術】
【０００２】
上記のように電力線に高周波信号を注入するために、従来では、カップリングコンデンサ等の容量性結合が多く利用されている。しかしながら、この容量性結合を用いるには、コンデンサを電力線に接続する必要があり、充電部が表面に現れていない場合には適用できず、また電力線間を短絡させてしまう可能性があるという問題がある。
【０００３】
そこで、たとえば特許文献１では、電力線を外囲する筒状で、かつ軸線方向に２分割される磁性体を設け、その磁性体の周方向の一部分に、前記高周波信号のための信号線を巻回し、前記高周波信号を非接続で電力線に注入する信号注入装置が提案されている。そして、磁性体の外側にケースを設け、そのケースの入口の孔径を磁性体の孔径よりも小さくして電力線を固定することで、磁性体が電力線に接触しないようにし、磁性体間のギャップを安定に確保している。
【０００４】
ところが、このような信号注入装置も、磁性体を電力線に取付けなければならず、分電盤や配電盤などの内部で、電力線間に充分な間隔がなかったりすると、取付けが行えないという問題がある。そこで、このような場合には、従来から、信号線を電力線に沿わせることで、高周波信号を電力線に注入することが行われている。
【特許文献１】特開２００４−３５６７７６号公報
【発明の開示】
【発明が解決しようとする課題】
【０００５】
しかしながら、上述の従来技術では、電力線に沿わせる信号線には、適当な長さが必要であり、実際の作業現場によっては、それだけの長さの結合区間が確保できない場合がある。
【０００６】
本発明の目的は、電力線に非接続で高周波信号を注入するにあたって、沿わせる信号線の結合区間を短縮することができる高周波信号注入装置を提供することである。
【課題を解決するための手段】
【０００７】
本発明の高周波信号注入装置は、電力線搬送通信のために用いられ、電力線に高周波信号を注入するための装置において、前記高周波信号を注入するための信号線と、前記信号線が形成された複数の取り付き部分を連結して成る取り付き部材とを備え、前記各取り付き部分は、電気絶縁性の材料から成り、略半円弧に湾曲した一対の湾曲部材を、その凹部が対向するように配置して、周方向の一端がヒンジで接続され、他端側が開閉自在となることで、前記凹部で電力線を抱え込むことができるように形成されて成るとともに、前記ヒンジ部分で相互に連結され、前記信号線は、前記湾曲部材の内周または外周面において、一端側から他端側にかけて形成される螺旋状のパターンと、前記螺旋状のパターンに連なり、前記湾曲部材の一端側において、前記ヒンジ部分の端面に形成される連結パターンと、前記螺旋状のパターンに連なり、前記湾曲部材の他端側において、対応する湾曲部材の開放端側と接触する接続パターンとを備えて構成され、前記一対の湾曲部材の凹部で電力線を抱え込み、他端側を閉じることで、前記信号線は、その閉じた湾曲部材の他端側で対を成す湾曲部材の信号線と電気的に導通してループを形成し、ヒンジ部分で隣の取り付き部分の信号線と電気的に導通して次のループに接続されることを特徴とする。
【０００８】
また、本発明の高周波信号注入装置では、電力線搬送通信のために用いられ、電力線に高周波信号を注入するための装置において、前記高周波信号を注入するための信号線と、前記信号線が形成された複数の取り付き部分を連結して成る取り付き部材とを備え、前記各取り付き部分は、電気絶縁性の材料から成り、略半円弧に湾曲した一対の湾曲部材を、その凹部が対向するように配置して、周方向の一端がヒンジで接続され、他端側が開閉自在となることで、前記凹部で電力線を抱え込むことができるように形成されて成るとともに、前記ヒンジ部分で相互に連結され、かつ前記一対の湾曲部材は、ヒンジの軸線方向にずれて配列されることで任意の角度で交差可能となっており、前記信号線は、前記湾曲部材の内周または外周面において、前記ヒンジの近傍で、該ヒンジの軸線方向の一端側から他端側にかけて形成される連絡パターンと、前記連絡パターンに連なり、前記湾曲部材における前記ヒンジの軸線方向の一端側に形成され、隣接する取り付き部分との連結パターンと、前記連絡パターンに連なり、前記湾曲部材における前記ヒンジの軸線方向の他端側で、一対の該湾曲部材同士の対向する端面に形成される接続パターンとを備えて構成され、前記一対の湾曲部材の凹部で電力線を抱え込み、他端側を閉じることで、前記信号線は、その閉じた湾曲部材の端面間で対を成す湾曲部材の信号線と電気的に導通してループを形成し、ヒンジ部分で隣の取り付き部分の信号線と電気的に導通して次のループに接続されることを特徴とする。
【０００９】
さらにまた、本発明の高周波信号注入装置では、前記取り付き部分は、前記ヒンジ部分で着脱可能となっていることを特徴とする。
【発明の効果】
【００１０】
本発明の高周波信号注入装置は、以上のように、電力線搬送通信のために用いられ、電力線に高周波信号を注入するための装置において、電力線に重畳すべき高周波信号の信号源からの高周波信号が与えられ、電力線に沿うことで前記高周波信号を電力線に注入する信号線を、電力線に並行に沿わせるのではなく、取り付き部材を用いて巻付ける。
【００１１】
それゆえ、電力線に非接続で高周波信号を注入するにあたって、沿わせる信号線の結合区間を短縮することができる。
【発明を実施するための最良の形態】
【００１２】
［第１実施形態］
図１は、本発明の第１実施形態に係る高周波信号注入装置１の概略的構成を示す図である。この高周波信号注入装置１は、電力線搬送通信（ＰＬＣ）のために用いられ、電力線（幹線）２，３に高周波信号を注入するために用いられる。注入されたＰＬＣ信号は、引込み線４，５を通して各住居へ供給される。
【００１３】
この高周波信号注入装置１は、電力線に重畳すべき高周波信号の信号源であるＰＬＣ信号発生器１０に、信号線１１，１２を備えて構成される。信号線１１，１２は、マンション等の分電盤や配電盤内、あるいは電柱上等で、電力線２，３のアクセス可能な部位に取付けられる。
【００１４】
注目すべきは、従来は電力線２，３に並行に沿わせるだけであった信号線１１，１２を、本発明では、後述するようにして、電力線２，３に巻回していることである。したがって、電力線２，３に非接続で高周波信号を注入するにあたって、沿わせる信号線１１，１２の結合区間Ｈ１を短縮することができる。前記結合区間Ｈ１は、従来のように沿わせるだけであれば１ｍ程度必要であったところ、本発明では１０ｃｍ程度にまで短縮することができる。
【００１５】
図２は本発明の第１実施形態に係る高周波信号注入装置における導電部材７１の電力線２，３への巻付け方法を示す分解斜視図であり、図３はその巻付け方法を模式的に示す図である。注目すべきは、本実施の形態では、上述の信号線１１，１２となる導電部材７１は、電力線２，３へ取り付く取り付き部材７２に形成されていることである。取り付き部材７２は、電気絶縁性の材料から成り、略半円弧状に湾曲した一対の湾曲部材７３，７４が、その凹部が対向するように配置され、周方向の一端がヒンジ７５で接続され、他端側が開閉自在となることで、前記凹部で電力線２，３を抱え込むことができるように形成されている取り付き部分７６を、ヒンジ７５部分で複数連結して構成されている。
【００１６】
導電部材７１は、湾曲部材７３，７４からヒンジ７５部分にかけて形成され、閉塞した湾曲部材７３，７４の他端側で対を成す湾曲部材７４，７３の導電部材７１と電気的に導通してループを形成し、ヒンジ７５部分で隣の取り付き部分７６の導電部材７１と電気的に導通して次のループに接続される。このため、導電部材７１としては、湾曲部材７３，７４の内周または外周（図２では内周）面において、一端側から他端側にかけて螺旋状のパターン７１ａが形成されており、一端側ではヒンジ７５部分の端面に隣接する取り付き部分７６との連結パターン７１ｂが形成されており、他端側では対応する湾曲部材７４，７３の開放端と接触する接続パターン７１ｃが形成されている。
【００１７】
接続パターン７１ｃは、湾曲部材７３，７４の他端側の端面において、外周側および隣接する湾曲部材７３，７４側の縁部には、短絡防止のために形成されておらず、前記端面の残余の領域に、螺旋状のパターン７１ａの幅よりも広く形成されている。また、湾曲部材７３，７４の一方の端面には係止突起７７が形成されており、他方の端面には係止凹所７８が形成されており、湾曲部材７３，７４の端面を突き合わせ、係止突起７７を係止凹所７８に嵌め込むことで、湾曲部材７３側の接続パターン７１ｃと湾曲部材７４側の接続パターン７１ｃとが、確実に接続される。
【００１８】
したがって、図３（ａ）で示すように、各取り付き部分７６の湾曲部材７３，７４の他端側を開放した状態で、電力線２，３を凹部内に配置した後、図３（ｂ）で示すように、他端側を閉じてゆくことで、取り付き部材７２およびこれに形成された導電部材７１を電力線２に取付けることができるとともに、導電部材７１は電力線２，３の周りに略螺旋状に巻回されることになる。こうして、導電部材７１を簡単に電力線２，３の周りに巻回することができる。
【００１９】
何れか１つの取り付き部分７６で導電部材７１が切断してしまうと、その取り付き部分７６より遊端側は信号線として機能しなくなるので、取付け後の湾曲部材７３，７４の開放を防止するために、上述の係止突起７７および係止凹所７８以外の強固な係止構造を用いたり、該取り付き部材７２全体を螺旋状の電線結束具で覆うなどしてもよい。
【００２０】
［第２実施形態］
図４は、本発明の第２実施形態に係る高周波信号注入装置における導電部材８１の電力線２，３への巻付け方法を示す分解斜視図である。注目すべきは、本実施の形態では、導電部材８１は、電力線２，３へ取り付く取り付き部材８２に形成されていることである。この取り付き部材８２は、前述の取り付き部材７２に類似している。取り付き部材８２は、電気絶縁性の材料から成り、略半円弧状に湾曲した一対の湾曲部材８３，８４が、その凹部が対向するように、かつ、ヒンジ８５の軸線方向にずれて配列され、前記凹部で電力線２，３を抱え込むことができるように形成されている取り付き部分８６を、ヒンジ８５部分で複数連結して構成されている。
【００２１】
したがって、前記一対の湾曲部材８３，８４は、ヒンジ８５の軸線方向にずれて配列されることで任意の角度で交差可能となっており、該湾曲部材８３，８４の内径以内の任意の径の電力線を抱え込むことができるようになっている。そして、電力線を抱え込んだ後に、湾曲部材８３，８４の他端側は、図５で示すように、締着バンド８７等で開放しないように固定される。
【００２２】
このため、導電部材８１としては、図６の湾曲部材８３，８４の分解斜視図および図７の電流経路図で示すように、湾曲部材８３，８４の内周または外周（図６，７では内周）面において、ヒンジ８５の近傍で、一端側から他端側にかけて連絡パターン８１ａが形成されており、一端側ではヒンジ８５部分の端面に隣接する取り付き部分８６との連結パターン８１ｂが形成されており、他端側の端面には対応する湾曲部材８４，８３の端面と摺接して電気的に導通する接続パターン８１ｃが形成されており、この接続パターン８１ｃがループを形成する。
【００２３】
このように構成することで、任意の径の電力線に対応して、その周囲に導電部材８１を巻回することができる。なお、隣接する湾曲部材８３，８４同士で摺接する連結パターン８１ｂおよび接続パターン８１ｃには、導電性の起毛などが施されることで、電気的な接続がより確実に行われることが望ましい。
【００２４】
［第３実施形態］
図８は、本発明の第３実施形態に係る高周波信号注入装置における取り付き部材９２の構造を示す分解斜視図である。この取り付き部材９２は、前述の取り付き部材８２に類似し、対応する部分には同一の参照符号を付して示し、その説明を省略する。前述の図４〜図７で示す取り付き部材８２では、各湾曲部材８３，８４が連結部材８３ａ，８４ａによって複数連結されて、取り付き部分８６は複数組連結されているのに対して、本実施の形態では、湾曲部材９３，９４から成る取り付き部分９６は、ヒンジ８５部分で所望の数だけ接続されることである。
【００２５】
導電部材８１において、図９で示すように、ヒンジ８５に対応した孔９５を通る湾曲部材９３，９４の接線９７よりも、連結パターン８１ｂは湾曲部材９３，９４の一端（ヒンジ８５）側に設けられ、接続パターン８１ｃは湾曲部材９３，９４の他端（開放端）側に設けられ、これによって隣接する取り付き部分９６間で、接続パターン８１ｃが湾曲部材９３，９４の一端（ヒンジ８５）側で短絡しないように形成されている。
【００２６】
このように構成することで、各取り付き部分９６は、ヒンジ８５部分で着脱可能となっているので、一対の湾曲部材９３，９４に導電部材８１が形成されて成るこの取り付き部分９６を１つのユニットとして、ユニットを連結させることで、長さ（巻数）の調整が可能な取り付き部材を実現することができる。
【図面の簡単な説明】
【００２７】
【図１】本発明の第１実施形態に係る高周波信号注入装置の概略的構成を示す図である。
【図２】本発明の第１実施形態に係る高周波信号注入装置における信号線の電力線への巻付け方法を示す分解斜視図である。
【図３】図２の巻付け方法を模式的に示す図である。
【図４】本発明の第２実施形態に係る高周波信号注入装置における信号線の電力線への巻付け方法を示す分解斜視図である。
【図５】図４の巻付け方法を示す図である。
【図６】図４の巻付け方法を実現する湾曲部材の分解斜視図である。
【図７】図６の電流経路図である。
【図８】本発明の第３実施形態に係る高周波信号注入装置における取り付き部材の構造を示す分解斜視図である。
【図９】図８で示す取り付き部材における信号線の形成方法を説明するための図である。
【符号の説明】
【００２８】
１    高周波信号注入装置
２，３    電力線（幹線）
４，５    引込み線
１０    ＰＬＣ信号発生器
１１，１２    信号線
７１，８１    導電部材
７１ａ    螺旋状のパターン
７１ｂ    連結パターン
７１ｃ    接続パターン
７２，８２，９２    取り付き部材
７３，７４，８３，８４，９３，９４    湾曲部材
７５，８５    ヒンジ
７６，８６，９６    取り付き部分
７７    係止突起
７８    係止凹所
８１ａ    連絡パターン
８１ｂ    連結パターン
８１ｃ    接続パターン
８７    締着バンド
【図１】
0004607729.tif 000002
【図２】
0004607729.tif 000003
【図３】
0004607729.tif 000004
【図４】
0004607729.tif 000005
【図５】
0004607729.tif 000006
【図６】
0004607729.tif 000007
【図７】
0004607729.tif 000008
【図８】
0004607729.tif 000009
【図９】
0004607729.tif 000010